(57)【要約】      （修正有）【課題】内容物を取り出すときに不用意に内容物や捨て紙が飛散したりせず、使い勝手の良い収納容器を提供する。【解決手段】粒状物５を収納する容器であって、容器本体と蓋体２とスライドカバー３からなり、容器本体と蓋体２は、容器本体の開口部上端部と蓋体２の底面にそれぞれ設けられた嵌合リブの嵌合によって内容物を収納する収納部を形成し、蓋体２の上表面は前記スライドカバー３と嵌合してスライドカバー３と共に容器上面の平面を形成し、蓋体２は内容物５を排出する取出し口９と、スライドカバー３を摺動可能に保持する摺動機構を有し、スライドカバー３は該摺動機構に嵌合する摺動部材１２によって水平に摺動し、前記取出し口９の開閉を行う粒状物収納容器。【選択図】図２
2010120677.tif 000002
【特許請求の範囲】
【請求項１】
粒状物を収納する容器であって、容器本体と蓋体とスライドカバーからなり、容器本体と蓋体は、容器本体の開口部上端部と蓋体の底面にそれぞれ設けられた嵌合リブの嵌合によって内容物を収納する収納部を形成し、蓋体の上表面は前記スライドカバーと嵌合してスライドカバーと共に容器上面の平面を形成し、蓋体は内容物を排出する取出し口と、スライドカバーを摺動可能に保持する摺動機構を有し、スライドカバーは該摺動機構に嵌合する摺動部材によって水平に摺動し、前記取出し口の開閉を行うことを特徴とする粒状物収納容器。
【請求項２】
前記蓋体に、収納スペースが設けられていることを特徴とする請求項１に記載の粒状物収納容器。
【請求項３】
前記蓋体は、蓋体本体と、蓋体の上表面を形成する蓋体表面板からなり、蓋体本体と蓋体表面板とは、一体として成形され、容器上面の一辺をヒンジとして180°折り曲げられており、蓋体表面板の内部に収納スペースを有することを特徴とする請求項１に記載の粒状物収納容器。
【発明の詳細な説明】
【技術分野】
【０００１】
本発明は、粒状ガム等粒状の物品を収納する容器に関し、収納容器としての利便性に優れた収納容器に関する。
【背景技術】
【０００２】
従来、粒状物を収納する容器として、さまざまな形態の容器が使用されているが、一般的には、身と蓋を有する容器のコーナー付近もしくは端部に設けられた開口部に嵌合蓋もしくはスライド蓋が設けられており、取出し時には開口部を開いて、振り出すようにして内容物を取り出す構造を持った容器が多く用いられている。これらの容器は、取り出すときに中身の粒が不用意に飛び出してしまったり、必要な粒数以上に粒が出てしまったりする点で使い勝手が悪かった（特許文献１、２）。
【０００３】
また、例えば内容物が粒状のガムの場合は、個別包装された板状のガムと異なり、噛んだ後のかすを包んで捨てるための捨て紙が必要であるが、従来の容器の場合、ガムと捨て紙が同じ空間に存在しているために、衛生上の問題もさることながら、ガムを振り出す時に捨て紙も飛び出してしまうことがあった。
【特許文献１】実開平4-112072号公報
【特許文献２】特開平9-77152号公報
【発明の開示】
【発明が解決しようとする課題】
【０００４】
本発明が解決しようとする課題は、上記のような従来の問題点を解決し、内容物を取り出すときに不用意に内容物や捨て紙が飛散したりせず、使い勝手の良い収納容器を提供することにある。
【課題を解決するための手段】
【０００５】
上記の課題を解決するための手段として、請求項１に記載の発明は、粒状物を収納する容器であって、容器本体と蓋体とスライドカバーからなり、容器本体と蓋体は、容器本体の開口部上端部と蓋体の底面にそれぞれ設けられた嵌合リブの嵌合によって内容物を収納する収納部を形成し、蓋体の上表面は前記スライドカバーと嵌合してスライドカバーと共に容器上面の平面を形成し、蓋体は内容物を排出する取出し口と、スライドカバーを摺動可能に保持する摺動機構を有し、スライドカバーは該摺動機構に嵌合する摺動部材によって水平に摺動し、前記取出し口の開閉を行うことを特徴とする粒状物収納容器である。
【０００６】
また、請求項２に記載の発明は、前記蓋体に、収納スペースが設けられていることを特徴とする請求項１に記載の粒状物収納容器である。
【０００７】
また、請求項３に記載の発明は、前記蓋体は、蓋体本体と、蓋体の上表面を形成する蓋体表面板からなり、蓋体本体と蓋体表面板とは、一体として成形され、容器上面の一辺をヒンジとして180°折り曲げられており、蓋体表面板の内部に収納スペースを有することを特徴とする請求項１に記載の粒状物収納容器である。
【発明の効果】
【０００８】
本発明に係る粒状物収納容器は、容器本体と蓋体とスライドカバーの３つの部品からなるため、部品点数が少なく、構造も簡単である。
また容器本体と蓋体は、容器本体の開口部上端部と蓋体の底面にそれぞれ設けられた嵌合リブの嵌合によって内容物を収納する収納部を形成し、蓋体の上表面はスライドカバーと
嵌合してスライドカバーと共に容器上面の平面を形成し、蓋体は内容物を排出する取出し口と、スライドカバーを摺動可能に保持する摺動機構を有し、スライドカバーは該摺動機構に嵌合する摺動部材によって水平に摺動し、取出し口の開閉を行う構造であるため、スライドカバーを水平にずらすだけで容器の開閉ができる。
【０００９】
また、蓋体の上表面はスライドカバーと嵌合してスライドカバーと共に容器上面の平面を形成しているため、容器上面には凹凸がなく平滑であり、印刷等の加飾手段によって意匠性を高めることが容易にできるばかりでなく、手に持ったときの感触がよい。
【００１０】
蓋体に収納スペースが設けられている場合には、この収納スペースに各種の物品を収納することが可能となり、例えば内容物が粒状ガムであれば、捨て紙を収納することができる。この他、各種のおまけや、説明書、応募用紙等を収納することができるので、さまざまな応用の可能性が広がる。
【００１１】
また、収納スペースに捨て紙の束を収納した場合、スライドカバーが開いた状態であっても束を曲げない限り水平方向には取り出せない構造になっているため、１枚づつ垂直方向にめくるようにして取り出す必要がある。従って、内容物を取り出すために容器を傾けたり逆さまにしたりしても捨て紙が容器から脱落して落下することはない。
【００１２】
また、蓋体を、蓋体本体と、蓋体の上表面を形成する蓋体表面板とに分け、蓋体本体と蓋体表面板を、一体として成形し、容器上面の一辺をヒンジとして180°折り曲げて形成し、蓋体表面板の内部に収納物収納部を有する構造とした場合には、蓋体を当初から最終的な形状となるように成形した場合と比較して、金型の構造が単純となり、製造コストが低減される。
【００１３】
また蓋体の上表面とスライドカバーが形成する容器上面は、同一の平面を形成しているので、この平面に印刷絵柄を施す場合には、印刷を容易に行うことができ、意匠性の高い絵柄を形成することができる。
【発明を実施するための最良の形態】
【００１４】
図面に従って、本発明を実施するための最良の形態について説明する。
図１は、本発明に係る粒状物収納容器の一実施例を示した平面模式図である。また、図２は、図１に示した粒状物収納容器の取出し口を開いた状態を示した平面模式図である。図３は、図１に示した粒状物収納容器の全体の構造を示した分解斜視図である。
【００１５】
本発明の粒状物収納容器は、容器本体１と蓋体２とスライドカバー３からなり、容器本体１と蓋体２は、容器本体の開口部上端部と蓋体の底面にそれぞれ設けられた嵌合リブ４の嵌合によって内容物５を収納する収納部６を形成し、蓋体の上表面７はスライドカバー３と嵌合してスライドカバー３と共に容器上面の平面８を形成し、蓋体２は内容物５を排出する取出し口９と、スライドカバー３を摺動可能に保持する摺動機構１１を有し、スライドカバー３は摺動機構１１に嵌合する摺動部材１２によって水平に摺動し、取出し口９の開閉と収納物取出し口１３の開閉を同時に行うことができる構造となっている。
【００１６】
摺動機構１１と摺動部材１２については、互いに嵌合する溝とレールの組合せや、溝と突起の組合せ等が一般的に用いられる。溝やレールや突起の断面形状については、特に限定されるものではない。
【００１７】
容器を水平に保持し、スライドカバー３をスライドさせると、図２のように取出し口９が開くので、容器を傾けることにより、内容物５を取り出すことができる。この時、収納物取出し口１３も同時に開くが、収納物１７は、収納スペース１０に収納されているため
、容器を傾けた場合に、収納スペース１０から出てきたとしても頭がスライドカバー３に引っ掛かるので、脱出して落下することはない。また収納物１７を取り出すときには、上方に曲げるか、あるいは、捨て紙のような場合には、一枚づつ上にめくるようにすることによって取り出すことが可能である。
【００１８】
本実施例では、蓋体２とスライドカバー３の境目を斜めにずれた直線状にしているが、こうすることにより、デザイン的なおもしろさが生じると共に、収納物１７がむき出しにならないので、容器を傾けた時に収納物１７が落下しにくくなるという利点がある。
【００１９】
なお、スライドカバー３を開いた時に、スライドカバー３が抜け落ちてしまわないように、例えば摺動部材１２の先端部および摺動機構１１の先端部にそれぞれ突起と凹みを設けておき、互いに嵌合するようにするとスライドカバー３がその位置で係止するので、使い勝手が向上する。またスライドカバー３を閉じた時にも、同様に摺動部材１２の先端部および摺動機構１１の後端部にそれぞれ突起と凹みを設けておくことにより、スライドカバー３が不用意に開くことがなくなるので、好ましい結果が得られる。
【００２０】
本実施例では、図３に見られるように、蓋体２は、蓋体本体１４と、蓋体の上表面７を形成する蓋体表面板１５からなり、蓋体本体１４と蓋体表面板１５とは、一体として成形され、容器上面の一辺をヒンジ１６として180°折り曲げられており、蓋体表面板１５の内部に収納物収納部１０を有する構造となっている。図３は、ヒンジ１６を折り曲げる前の状態を示している。このようにすることにより、蓋体２を当初から最終的な形状となるように成形した場合と比較して、金型の構造が単純となり、製造コストが低減される。
【００２１】
容器本体１、蓋体２、スライドカバー３の材質については、特に限定されるものではないが、生産のしやすさ、コスト、使い勝手などを考慮すると、各種熱可塑性プラスチックが好ましく使用できる。各部材の色調や透明性、表面の凹凸性状、表面の加飾、文字やロゴ表示等は、内容物や使用目的に応じて任意に設定されるべきものであるが、本発明の特徴的な実施形態として、蓋体の上表面７とスライドカバー３の上表面とは、同じ高さの平面を形成して容器上面の平面８を形成しているので、この面に印刷絵柄を施す場合には、各種の印刷手段を利用することが可能であり、自由度の高い任意の意匠表現が可能となる。
【図面の簡単な説明】
【００２２】
【図１】本発明に係る粒状物収納容器の一実施例を示した平面模式図。
【図２】図１に示した粒状物収納容器の取出し口を開いた状態を示した平面模式図。
【図３】図１に示した粒状物収納容器の全体の構造を示した分解斜視図。
【符号の説明】
【００２３】
１・・・容器本体
２・・・蓋体
３・・・スライドカバー
４・・・嵌合リブ
５・・・内容物
６・・・収納部
７・・・蓋体の上表面
８・・・容器上面の平面
９・・・取出し口
１０・・・収納スペース
１１・・・摺動機構
１２・・・摺動部材
１３・・・収納物取出し口
１４・・・蓋体本体
１５・・・蓋体表面板
１６・・・ヒンジ
１７・・・収納物
１８・・・印刷絵柄
【図１】
2010120677.tif 000003
【図２】
2010120677.tif 000004
【図３】
2010120677.tif 000005